(57)【要約】      （修正有）【課題】着用者の手へゴム手袋を、その指先まですばやく円滑に差し込み着用できる上衣の二重袖口構造を提供する。【解決手段】外袖１５よりも短い内袖１６の根元部がその外袖１５の裏面に縫製された上衣の二重袖口構造において、外袖１５に設置した開閉用具２０の開放操作により、その内袖１６の周囲を全体的に露出させることができるように定めた。また、外袖１５の開閉用具２０として、内袖１６の長さとほぼ対応する開閉作用長さのスライドファスナーを採用した。【選択図】図５
0003219726.tif 000002
【実用新案登録請求の範囲】
【請求項１】
外袖よりも短い内袖の根元部がその外袖の裏面に縫製された上衣の二重袖口構造において、
上記外袖に設置した開閉用具の開放操作により、その内袖の周囲を露出させることができるように定めたことを特徴とする上衣の二重袖口構造。
【請求項２】
外袖の開閉用具として、内袖の長さとほぼ対応する開閉作用長さのスライドファスナーを採用したことを特徴とする請求項１記載の上衣の二重袖口構造。
【請求項３】
外袖の開閉用具をスライドファスナーとして、その外袖の閉鎖状態におけるスライドファスナーのスライド操作片を表側から被覆する袖口収縮ベルトを、その外袖の先端部から一体的に張り出し形成すると共に、
その袖口収縮ベルトの裏面に縫い付けた面ファスナーと雌雄一対をなす別個な面ファスナーを、上記外袖における先端部の表面へ対応的に縫い付けたことを特徴とする請求項１記載の上衣の二重袖口構造。
【請求項４】
外袖の開閉用具をスライドファスナーとして、そのスライドファスナーを襠における長袖の脇部に沿って延在する前身頃側縫製ラインの延長線上へ設置すると共に、
そのスライドファスナーにおけるテープ片の左右何れか一方と一緒に外袖の裏面へ縫い付けた防水用カバーによって、上記スライドファスナーを裏側からの防水状態に保ったことを特徴とする請求項１記載の上衣の二重袖口構造。
【考案の詳細な説明】
【技術分野】
【０００１】
本考案は主として屋外での各種作業に有用な上衣の二重袖口構造に関する。
【背景技術】
【０００２】
従来の屋外作業用上衣に採用されている二重袖口構造では、特許文献１の図３、４や特許文献２の図９から明白なように、外袖よりも短い内袖の根元部が、外袖の裏面に縫製されており、その内袖の中へ着用者の手を通すようになっている通例である。
【０００３】
その場合、内袖は外袖と同様に伸縮しない素材から成るが、その先端部のみが縫い込まれたタックゴムや伸縮性ニット生地などにより口径収縮作用して、着用者の手首へ密着する結果、外袖の先端部から雨水や冷風などが侵入しても、これらから手首を封止状態に保ち、防水効果や防寒効果などを得られるようになっている。
【先行技術文献】
【特許文献】
【０００４】
【特許文献１】特許第3126927号公報
【特許文献２】実用新案登録第3125285号公報
【考案の概要】
【考案が解決しようとする課題】
【０００５】
ところが、上記内袖の周囲は伸縮しない素材の外袖によって全体的に被覆されており、その内袖と外袖との相互間隙が狭いため、着用者が作業用手袋を差し込む時、その外袖の拡開できない先端部（袖口）が言わば邪魔して、その手袋を指先までの円滑にすばやく差し込み着用することができず、このことは特に比較的長いゴム手袋の着用時に顕著となり、甚だ不便である。
【課題を解決するための手段】
【０００６】
本考案はこのような課題の改良を目的としており、その目的を達成するために、請求項１では外袖よりも短い内袖の根元部がその外袖の裏面に縫製された上衣の二重袖口構造において、
【０００７】
上記外袖に設置した開閉用具の開放操作により、その内袖の周囲を露出させることができるように定めたことを特徴とする。
【０００８】
また、請求項２では外袖の開閉用具として、内袖の長さとほぼ対応する開閉作用長さのスライドファスナーを採用したことを特徴とする。
【０００９】
請求項３では外袖の開閉用具をスライドファスナーとして、その外袖の閉鎖状態におけるスライドファスナーのスライド操作片を表側から被覆する袖口収縮ベルトを、その外袖の先端部から一体的に張り出し形成すると共に、
【００１０】
その袖口収縮ベルトの裏面に縫い付けた面ファスナーと雌雄一対をなす別個な面ファスナーを、上記外袖における先端部の表面へ対応的に縫い付けたことを特徴とする。
【００１１】
更に、請求項４では外袖の開閉用具をスライドファスナーとして、そのスライドファスナーを襠における長袖の脇部に沿って延在する前身頃側縫製ラインの延長線上へ設置すると共に、
【００１２】
そのスライドファスナーにおけるテープ片の左右何れか一方と一緒に外袖の裏面へ縫い付けた防水用カバーによって、上記スライドファスナーを裏側からの防水状態に保ったことを特徴とする。
【考案の効果】
【００１３】
請求項１の上記構成によれば、二重袖口構造の外袖をその開閉用具により開放操作して、内袖の周囲を露出状態に保てるため、外袖が伸縮しない素材から成るも、その外袖口部（先端部）に言わば邪魔されることなく、作業上必要な比較的長いゴム手袋であっても着用者の手へ、その指先まですばやく円滑に差し込み着用することができ、しかも着用者の手を内袖と手袋並びに外袖による三重の防水・防寒状態などに封止し得る効果がある。
【００１４】
その場合、請求項２の構成を採用するならば、スライドファスナーのスライド操作により内袖の全体をますます容易・円滑に露出させることができ、また外袖の閉鎖時における防水・防寒状態なども維持しやすく、利便性が向上する。
【００１５】
請求項３の構成を採用するならば、外袖の閉鎖した作業中におけるスライドファスナーのスライド操作片を、その外袖の袖口収縮ベルトにより表側から体裁良く、且つ安全に被覆することができるほか、雌雄一対の面ファスナー同士を係脱自在に係止することにより、上記外袖口部の口径を大きく又は小さく収縮調整できる効果もある。
【００１６】
更に、請求項４の構成を採用するならば、外袖に対する開閉用スライドファスナーの縫製と襠（添え布）における前身頃の体側部に沿う縫製とを支障なく合理的に行えるほか、上記スライドファスナーをその防水用カバーによって裏側からの防水状態に保てる効果もある。
【図面の簡単な説明】
【００１７】
【図１】本考案の実施形態に係る上衣の全体概略正面図である。
【図２】同じく上衣の全体概略背面図である。
【図３】図１の二重袖口部分を手袋の着用状態として示す拡大断面模式図である。
【図４】図１の二重袖口部分を抽出して示す拡大正面図である。
【図５】外袖の開放状態を示す図４に対応する部分拡大正面図である。
【図６】図５から外袖をめくり上げた状態の部分拡大正面図である。
【考案を実施するための形態】
【００１８】
以下、図面に基いて本考察の好適な実施形態を詳述すると、図１、２はその屋外作業用上衣（雨衣）の概略全体を示しており、これは身頃本体（１０）とフード（１１）、左右一対の長袖（１２）並びに左右一対の襠（添え布）（１３）とから構成されている。
【００１９】
これらの構成部材は何れもナイロンやポリエステル、ＥＶＡ（エチレン酢酸ビニール）、その他の伸縮性が少ない合成繊維から成り、その表面には撥水性が与えられている一方、裏面にはポリ塩化ビニール系樹脂コーティングやポリウレタン系樹脂コーティング又はラミネートなどの防水性が与えられている。
【００２０】
また、上記長袖（１２）の袖口（１４）はその左右一対の何れも図２〜６の部分拡大図から明白なように、一定長さ（Ｌ１）の外袖（１５）とこれよりも短い一定長さ（Ｌ２）の内袖（１６）とから成る二重構造に縫製されている。
【００２１】
即ち、その二重袖口構造を示した図２〜６において、内袖（１６）は実質的な先細り截頭円錐形をなし、その太い根元部が外袖（１５）の裏面に縫い付けられていると共に、細い先端部がタックゴムの縫い込まれた伸縮可能な内袖口部（１７）又は別個な伸縮性のニット生地から成る内袖口部（１７）として、着用者の手首へ弾力的に密着するようになっている。
【００２２】
（１８）はその外袖（１５）に対する内袖（１６）の縫い糸であって、この縫製ラインから先端側が上記長袖（１２）における一定長さ（Ｌ１）の外袖（１５）となり、これよりも短い内袖（１６）の周囲がその外袖（１５）によって全体的な被覆状態に保たれる。
【００２３】
他方、上記外袖（１５）の先端部は外袖口部（１９）として裏向き折り返し重合状態に縁取りされており、ここから内袖（１６）の根元部付近まで到達する一定開閉作用長さ（Ｌ３）の外袖開閉用スライドファスナー（２０）が、その外袖（１５）に配列設置されている。但し、そのスライドファスナー（２０）の開閉作用長さ（Ｌ３）としては、上記内袖（１６）の一定長さ（Ｌ２）と同じであるだけに限らず、その内袖（１６）の一定長さ（Ｌ２）より若干短いこともあり得る。
【００２４】
何れにしても、その外袖開閉用スライドファスナー（２０）のスライド操作片（２１）を摘まみ持って、外袖（１５）を図４〜６に示す如く、その先端部の外袖口部（１９）から開放操作すれば、その外袖（１５）を更に裏向き折り返し状態にめくり上げて、内袖（１６）の周囲を全体的に露出させることができる。
【００２５】
その結果、素手を安全に防護する軍手や防寒用の皮手袋、防水用のゴム手袋、日除け用の綿手袋、特に作業上必要な比較的長いゴム手袋（２２）でも着用者の手（Ｍ）へ、伸縮性の少ない上記外袖（１５）の外袖口部（１９）に言わば邪魔されることなく円滑に、しかも指先まですばやく内袖（１６）の被覆状態に差し込み着用することができ、著しく便利である。
【００２６】
そして、その手袋（２２）を図３のように差し込み着用後、上記外袖（１５）の外袖口部（１９）を折り返しめくり上げ状態から図３、４のように引き伸ばし復元して、そのスライドファスナー（２０）のスライド操作により閉鎖すれば、着用者の手（Ｍ）は内袖（１６）と手袋（２２）並びに外袖（１５）による三重の封止状態となり、優れた防水効果や防寒効果などを得られるのである。
【００２７】
更に言えば、左右一対の上記襠（添え布）（１３）は何れも長袖（１２）の袖口（１４）から身頃本体（１０）の中途高さ位置に到達するまでの一定長さを有し、その身頃本体（１０）における前身頃（１０Ｆ）と後身頃（１０Ｒ）の体側部に沿って、各々連続的に縫製されており、（２３）はその襠（添え布）（１３）における長袖（１２）の脇部に沿って延在する前身頃側の縫製ライン、（２４）は同じく長袖（１２）の脇部に沿って延在する後身頃側の縫製ラインを示しているが、上記二重袖口構造をなす外袖（１５）の開閉用スライドファスナー（２０）は、その前身頃側の縫製ライン（２３）を外袖（１５）の外袖口部（１９）まで延長する線上に縫い付けられているのである。
【００２８】
その結果、その外袖（１５）に対する開閉用スライドファスナー（２０）の縫製と襠（添え布）（１３）における前身頃（１０Ｆ）の体側部に沿う縫製とを支障なく合理的に行えるほか、着用者にとって右手により左側長袖（１２）の外袖（１５）を、同じく左手により右側長袖（１２）の外袖（１５）を何れも円滑に開閉操作することができる利便性も得られる。
【００２９】
（２５）は上記身頃本体（１０）における前身頃（１０Ｆ）の開閉用スライドファスナーであって、その前身頃（１０Ｆ）の中央縦断線上に沿って配列設置されており、そのテープ片（図示省略）の左右何れか一方を前身頃（１０Ｆ）へ縫い付ける縫い糸を兼用して、その前身頃（１０Ｆ）の裏面にスライドファスナー（２５）の防水用カバー（２６）が縫い付けられている。
【００３０】
また、（２７）は上記外袖（１５）の開閉用スライドファスナー（２０）を裏側から防水状態に保つ防水用カバーであって、上記前身頃開閉用スライドファスナー（２５）の防水用カバー（２６）と同じく、やはりそのスライドファスナー（２０）におけるテープ片（２８）の左右何れか一方を外袖（１５）へ縫い付ける縫い糸（２９）を兼用して、その外袖（１５）の裏面に縫い付けられている。
【００３１】
（３０）は上記外袖（１５）の閉鎖状態におけるスライドファスナー（２０）のスライド操作片（２１）を、表側から被覆する袖口収縮ベルトであって、図４〜６から明白なように、上記外袖（１５）の先端部をなす外袖口部（１９）から、開閉用スライドファスナー（２０）を跨ぐ関係状態に張り出し形成されており、その張り出し先端部の裏面には面ファスナー（３１）が縫い付けられている。（３２）はその外袖口部（１９）に対する袖口収縮ベルト（３０）の根元部縫い糸である。
【００３２】
更に、（３３）はその袖口収縮ベルト（３０）側の面ファスナー（３１）と雌雄一対をなす別個な面ファスナーであって、上記外袖（１５）の縁取りされた外袖口部（１９）の表面に縫い付けられている。
【００３３】
そして、その雌雄一対の面ファスナー（３１）（３３）を係脱自在に係止させることにより、上記外袖（１５）を図３、４のような内袖（１６）の被覆状態に閉鎖させることができると共に、その外袖口部（１９）の口径を着用者における手首の太さに応じて、適当な収縮状態に調整することもできるようになっている。
【００３４】
尚、図示の実施形態では外袖（１５）の開閉用具としてスライドファスナー（２０）を採用しているが、その外袖（１５）を開放操作して、内袖（１６）の周囲を露出させることができるならば、上記スライドファスナー（２０）に代る面ファスナーや点在分布する複数のハトメホック（ドット釦）、その他の開閉用具を採用してもさしつかえない。
【符号の説明】
【００３５】
（１０）・・・身頃本体
（１２）・・・長袖
（１３）・・・襠（添え布）
（１５）・・・外袖
（１６）・・・内袖
（１７）・・・内袖口部
（１９）・・・外袖口部
（２０）・・・外袖開閉用具（スライドファスナー）
（２１）・・・スライド操作片
（２２）・・・手袋
（２３）・・・襠の前身頃側縫製ライン
（２７）・・・防水用カバー
（３０）・・・袖口収縮ベルト
（３１）（３３）・・・面ファスナー
（Ｌ１）・・・外袖の長さ
（Ｌ２）・・・内袖の長さ
（Ｌ３）・・・開閉作用長さ
【図１】
0003219726.tif 000003
【図２】
0003219726.tif 000004
【図３】
0003219726.tif 000005
【図４】
0003219726.tif 000006
【図５】
0003219726.tif 000007
【図６】
0003219726.tif 000008